(57)【要約】【課題】  ロッキング構法によって鉄骨躯体に取付けたＡＬＣパネルのタイル壁面が免震性を備えたものとする。【解決手段】  複数の縦胴縁１１に対して多数の横胴縁１４を回動可能に支持又は軸支したタイル下地１０を形成し，鉄骨躯体１の並列したＡＬＣパネル２毎に縦胴縁１１を固定することによって横胴縁１４がＡＬＣパネル２間の各ワーキングジョイント部位３を跨ぐように配置して各横胴縁１４にタイル２０を設置し目地２２を施してタイル壁面とする。鉄骨躯体１の層間変位に追従性を有するＡＬＣパネル２に更に層間変位の追従性を付与してタイル壁面とすることによってその免震性が得られるし，ワーキングジョイント部位３のを顧慮することなくタイル２０の設置が可能となり，タイル２０の自由な配置が可能となる。【選択図】  図５
2007247178.tif 000002
【特許請求の範囲】
【請求項１】
ロッキング構法によるタイル壁面であって，外壁パネル固定用複数の縦胴縁と該縦胴縁に回動可能に支持又は軸支したタイル設置用多数の横胴縁とを備えた横格子状のタイル下地を用い，該タイル下地の上記複数の縦胴縁を幅方向隣接又は所定数置きの外壁パネルに固定して外壁パネル間を幅方向に跨り配置した各横胴縁にタイルを設置することによって幅方向並列の外壁パネル間ワーキングジョイント部位を跨り連続するタイル壁面を形成してなることを特徴とする免震タイル壁面。
【請求項２】
スウェイ構法によるタイル壁面であって，外壁パネル固定用複数の縦胴縁と該縦胴縁に回動可能に支持又は軸支したタイル設置用多数の横胴縁とを備えた横格子状のタイル下地を用い，該タイル下地の上記複数の縦胴縁を上下方向隣接又は所定数置きの外壁パネルに跨り固定して外壁パネル間を上下方向に並列配置した各横胴縁にタイルを設置することによって上下方向並列の外壁パネル間ワーキングジョイント部位を跨り連続するタイル壁面を形成してなることを特徴とする免震タイル壁面。
【発明の詳細な説明】
【技術分野】
【０００１】
本発明は，ロッキング構法又はスウェイ構法によって躯体に取付けた外壁パネルに形成したタイル壁面に関し，特にこれら構法によって不可避的に生じる外壁パネルの層間変位に対して追従し得るようにした免震タイル壁面に関する。
【背景技術】
【０００２】
タイル壁面を形成する外壁パネルの躯体への取付には，一般にロッキング構法及びスウェイ構法が採用されており，ロッキング構法は，躯体に対して，各外壁パネルをそれぞれ微小回転自在に金具によって取付配置することによって，外壁パネル間の全ての目地をワーキングジョイントとし，またスウェイ構法は，躯体に対して，各外壁パネルの上部取付部を面内方向スライド自在に金具によって取付配置することによって，外壁パネル間の横目地をワーキングジョイント，縦目地をノンワーキングジョイントとするものとされている。このときワーキングジョイントには外壁パネル間に１ｃｍ乃至２ｃｍ程度にして幅広の伸縮目地を形成し，ノンワーキングジョイントはタイル目地を表裏に合せるように形成し，これらワーキングジョイント及びノンワーキングジョイントをタイル非設置部位とし，それぞれ外壁パネルを各独立したタイル設置単位として，これらワーキングジョイント及びノンワーキングジョイントを避けてタイルを配置するものとされ，これによって地震に際して生じ得る躯体の層間変位に対して外壁パネルの追従性を確保し，該外壁パネルに形成したタイル壁面からのタイルの剥落を防止して，その損傷を可及的に減少するものとされる。
【０００３】
【非特許文献１】クリオン株式会社「現場タイル張り設計・施工マニュアル」（２００２年９月現在）
【発明の開示】
【発明が解決しようとする課題】
【０００４】
この場合，層間変位に対する追従性を確保したことによって，各独立したタイル設置単位の外壁パネル毎に設置したタイルの剥落は防止されるに至るが，タイル設置単位の外壁パネル毎にタイルを設置する必要があるから，外壁パネル幅とタイルの割付及び寸法差によってその設置作業が煩雑になり易く，またノンワーキングジョイントは，常法に従って５ｍｍ幅程度のタイル目地を配置することによって，幅方向乃至上下方向の連続性を確保できるが，ワーキングジョイントは，１ｃｍ又は２ｃｍといった幅広の伸縮目地を形成することによって，ロッキング構法では建物外壁の幅方向中間位置に，スウェイ構法では高さ方向中間位置にそれぞれ該幅広の伸縮目地が露出して，建物に形成したタイル壁面の連続性を遮断する結果，タイル壁面の建物外観を損うという問題点がある。
【０００５】
本発明はかかる事情に鑑みてなされたもので，その解決課題とするところは，ワーキングジョイント部位又はノンワーキングジョイント部位を顧慮することなく外壁パネルにタイルを設置することによってタイル設置作業を簡易化し，タイル壁面の連続性を確保して良好な建物外観を確保するとともに該タイル壁面の免震性を確保し得るようにした免震タイル壁面を提供するにある。
【課題を解決するための手段】
【０００６】
上記課題に沿って本発明は，縦胴縁に対してその外側に横胴縁を回動可能に支持又は軸支した横格子状のタイル下地を用い，上記層間変位追従性を備えた外壁パネルに上記縦胴縁を固定するとともにこれに回動可能な横胴縁にタイルを設置して建物外壁のタイル壁面として，ワーキングジョイントのムーブメント，即ちこれら目地の動きを縦胴縁に対する横胴縁の回動によって吸収して，該タイル壁面を上記外壁パネルに対して更に層間変位を許容しその追従性を備えたものとすることによってその免震性を確保するとともにワーキングジョイント部位を顧慮することなく横胴縁にタイルを設置し得るようにしてタイル設置作業を簡易化し，タイル壁面の連続性を確保して良好な建物外観を確保し得るようにしたものであって，即ち請求項１に記載の発明を，ロッキング構法によるタイル壁面であって，外壁パネル固定用複数の縦胴縁と該縦胴縁に回動可能に支持又は軸支したタイル設置用多数の横胴縁とを備えた横格子状のタイル下地を用い，該タイル下地の上記複数の縦胴縁を幅方向隣接又は所定数置きの外壁パネルに固定して外壁パネル間を幅方向に跨り配置した各横胴縁にタイルを設置することによって幅方向並列の外壁パネル間ワーキングジョイント部位を跨り連続するタイル壁面を形成してなることを特徴とする免震タイル壁面とし，また請求項２に記載の発明を，スウェイ構法によるタイル壁面であって，外壁パネル固定用複数の縦胴縁と該縦胴縁に回動可能に支持又は軸支したタイル設置用多数の横胴縁とを備えた横格子状のタイル下地を用い，該タイル下地の上記複数の縦胴縁を上下方向隣接又は所定数置きの外壁パネルに跨り固定して外壁パネル間を上下方向に並列配置した各横胴縁にタイルを設置することによって上下方向並列の外壁パネル間ワーキングジョイント部位を跨り連続するタイル壁面を形成してなることを特徴とする免震タイル壁面とし，これらをそれぞれ発明の要旨として上記課題解決の手段としたものである。
【発明の効果】
【０００７】
本発明は以上のとおりに構成したから，縦胴縁に対してその外側に横胴縁を回動可能に支持又は軸支した横格子状のタイル下地を用い，上記層間変位追従性を備えた外壁パネルに上記縦胴縁を固定するとともにこれに回動可能な横胴縁にタイルを設置して建物外壁のタイル壁面として，ワーキングジョイントのムーブメント，即ちこれら目地の動きを縦胴縁に対する横胴縁の回動によって吸収して，該タイル壁面を上記外壁パネルに対して更に層間変位を許容しその追従性を備えたものとすることによってその免震性を確保するとともにワーキングジョイント部位を顧慮することなく外壁パネルにタイルを設置することによってタイル設置作業を簡易化し，タイル壁面の連続性を確保して良好な建物外観を確保し得るようにした免震タイル壁面を提供することができる。
【発明を実施するための最良の形態】
【０００８】
以下図面の例に従って本発明を更に具体的に説明すれば，１は鉄骨躯体，２は該鉄骨躯体１にロッキング構法及びスウェイ構法を用いて図示省略の金具によって取付けてその外側に配置したＡＬＣパネル，１０はこれらロッキング構法及びスウェイ構法の双方に共通使用してタイル壁面を形成するタイル下地，２０は該ＡＬＣパネル２の外側に上記タイル下地を用いて形成するタイル壁面のタイルを示す。
【０００９】
タイル下地１０は，外壁パネル２固定用複数，例えば３本の縦胴縁１１と該縦胴縁１１に回動可能に支持又は軸支したタイル設置用多数，例えば６本の横胴縁１４とを備えた横格子状のものとしてあり，本例にあって該タイル下地１０は，その縦胴縁１１及び横胴縁１４をそれぞれ鋼板のプレス加工によって形成した鋼製のものとしてあり，縦胴縁１１に，例えば切起し加工によって該縦胴縁１０長手方向に外側にＬ字状に突出して多数のブラケット１２を設置し，横胴縁１４の縦胴縁１０交差位置，本例にあっては横胴縁１４の長手方向両端及び中央位置に上記ブラケット１２に対応する引掛透孔１５を打抜き加工によって形成してあり，縦胴縁１１のブラケット１２を横胴縁１４の引掛透孔１５に挿通して該ブラケット１２によって引掛透孔１５の上縁部を引掛支持することによってその支持を行ってあり，このとき本例のタイル下地１０にあって，上記ブラケット１２と引掛透孔１５の横幅を，後者がやや幅広となるように形成し，横胴縁１４の支持状態で該横胴縁１４を縦胴縁１１に対して，例えば最大５〜６度程度の傾斜角度をなし得るようにその回動を可能としてある。
【００１０】
このとき本例にあって上記ブラケット１２は，これを内側，即ちＡＬＣパネル側に向けて屈曲付勢して配置することによって該ブラケット１２が弾発的にＡＬＣパネルに圧接するようにするとともにその上方に外側，即ちタイル２０側に向けて屈曲して配置した屈曲片１３を備えたものとし，また横胴縁１４の引掛透孔１５の下位にブラケット１２幅に合せた一対のスリットによって区画した引掛片１６を配置し，また縦胴縁１１に横胴縁１４の受座１８を配置したものとしてあり，上記縦胴縁１１のブラケット１２による横胴縁１４の引掛支持は，例えば受座１８に横胴縁１４を載置するように配置して，上記ブラケット１２の上記屈曲片１３に引掛透孔１５の上縁部を圧入状にするとともに該ブラケット１２の外側に突出した下端に引掛片１６を弾発的に圧着するようにして行うものとしてあり，これによって該横胴縁１４の支持を鋼板に付与した弾発性を活用して可及的簡易且つ確実になし得るようにしてある。
【００１１】
該縦胴縁のブラケット１２は，これを例えばタイル下地１０に設置するタイル２０の縦幅と上下のタイル２０間の目地２２の縦幅の合計寸法に合せたピッチに形成し，該ピッチ毎に多数の横胴縁１４を上下に並列するように平行に支持することによって，タイル下地１０を多数並列した上記横格子状のものとしてある。
【００１２】
横胴縁１４にはその外側に上下を対とする一対の上向き突条１７を配置してあり，該上向き突条１７に，タイル２０裏面に，その中間突部を挟むように形成した上下の受条２１を嵌合状に係合して，該タイル２０を横胴縁１４に対して載置して，タイル２０間に，例えばモルタル，合成樹脂等の接着性の目地２２を形成して該タイル２０相互を固定することによって，該タイル２０を上記接着性の目地で一体化するようにその設置を行うようにしてある。
【００１３】
このように形成したタイル下地１０は，鉄骨躯体１に取付けた上記ＡＬＣパネル２に固定し，該ＡＬＣパネル２の外側にタイル壁面を形成するものとしてあり，このとき図５及び図６は，ロッキング構法による外壁パネル２にタイル壁面を形成するために該タイル下地１０を設置した例，また図７及び図８は，スウェイ構法による外壁パネル２に同じくタイル壁面を形成するために該タイル下地１０を設置した例である。
【００１４】
図５及び図６においてタイル下地１０は，その上記複数の縦胴縁１１を幅方向隣接又は所定数置きの外壁パネル，本例にあってはＡＬＣパネル２に固定してＡＬＣパネル２間を幅方向に跨り配置した各横胴縁１４にタイル２０を設置することによって幅方向並列のＡＬＣパネル２間ワーキングジョイント部位３を跨り連続するタイル壁面を形成するようにしてある。
【００１５】
即ちタイル下地１０は，ロッキング構法によって建物の壁面をなす外壁パネル，即ちＡＬＣパネル２の全面に亘るようにこれを設置して連続するタイル下地１０を設置して，上記ワーキングジョイント部位３を含めてタイル壁面を形成するものとしてあり，該タイル下地１０の設置は，その３本の各縦胴縁１１がそれぞれ各ＡＬＣパネル２の幅方向中間，本例にあっては幅方向中央に位置するように配置するとともに，本例にあっては更に各上下のＡＬＣパネル２間に亘るように配置して，例えば図示省略のワッシャーを介して縦胴縁１１長手方向複数箇所の透孔からＡＬＣパネル２に螺入したスクリュー釘等の固定金具によって隣接する各ＡＬＣパネル２に固定してある。本例のタイル下地１０における横胴縁１４は，その長さをＡＬＣパネル２幅の数倍，例えば３倍のＡＬＣパネル３枚分とし，該タイル下地１０をその幅方向端部をＡＬＣパネル２に合せて上下に連続的に配置する一方，該３枚のＡＬＣパネル２の幅方向に位置する，更に３枚の外壁パネル２に該タイル下地１０を，３枚以下の場合はその数と幅に合せて横胴縁を切断して幅方向に短尺化したタイル下地１０をそれぞれ同じくＡＬＣパネル２に合せて上下に連続的に配置するものとしてあり，このとき上下に隣接するタイル下地１０は，その上下に僅かに突出する縦胴縁１１の端部を相互に突合せて固定し，また３枚毎乃至それ以下の数で隣接するタイル下地１０は，その横胴縁１４の高さを相互に一致してその固定を行うようにしてある。
【００１６】
このようにＡＬＣパネル２にそれぞれ縦胴縁１１を固定したタイル下地１０は，その各横胴縁１４がＡＬＣパネル２間を幅方向，本例にあっては更に上下方向に跨り配置した状態となるから，該各横胴縁１４にその長手方向中間に位置するワーキングジョイント部位３及びタイル下地１０間に位置するワーキングジョイント部位３を顧慮することなく，これらに跨り配置するようにタイル２０を設置して該ワーキングジョイント部位３を跨り連続するタイル壁面を形成するようにすればよい。このときワーキングジョイント部位３を顧慮する必要がないから，タイル２０は，例えば上下左右に桝目状に整列する通し目地配置のもの，千鳥状に上下左右に交互に入り込む馬踏み目地配置のもの等各種の配置形態を適宜に選択してこれを設置することが可能である。
【００１７】
本例のロッキング構法によって鉄骨躯体に取付けたＡＬＣパネル２は，該鉄骨躯体１に対して微小回転自在であるから，鉄骨躯体１の横揺れによって，該鉄骨躯体１の層間変位に対して同一方向に同時傾斜することによって該層間変位に追従するところ，壁面のＡＬＣパネル２の全面に上下方向及び幅方向に連続して配置した多数のタイル下地１０は，各ＡＬＣパネル２に固定した縦胴縁１１がそのＡＬＣパネル２の変位に応じて変位する一方で，横胴縁１４がその各支持部位で縦胴縁１１に対して回動可能であることによって，各横胴縁１４は縦胴縁１１に支持された状態で該縦胴縁１１の変位を該回動によって吸収することができ，ＡＬＣパネル２及び縦胴縁１１に生じる層間変位の影響を受けることなく常時水平の支持状態を維持することができる。
【００１８】
このとき該タイル下地１０の横胴縁１４は，上記接着性の目地２２で一体化したタイル壁面によって上下及び幅方向に一体的に連結された状態になっているから，タイル壁面の存在によって該横胴縁１４が縦胴縁１１の変位動作に連れ動きすることなく，縦胴縁１１に対してスムーズな回動をなし得るものとなる。従って該タイル下地１０に形成したタイル壁面は，鉄骨躯体１の層間変位に対する追従性を確保した外壁パネル，即ちＡＬＣパネル２に対して，更に該ＡＬＣパネル２の層間変位を許容して該層間変位に対する独立した追従性を確保したものとなり，鉄骨躯体１及びＡＬＣパネル２が地震の横揺れを受けても，該タイル下地１０によって形成したタイル壁面は，一般にＡＬＣパネル２及びこれに固定した縦胴縁１１の層間変位を各横胴縁１４の回動によって吸収することによって，良好な免震性を呈するものとすることができる。
【００１９】
図７及び図８においてタイル下地１０は，その上記複数の縦胴縁１１を上下方向隣接又は所定数置きの外壁パネル，即ち同様にＡＬＣパネル２に跨り固定してＡＬＣパネル２間を上下方向に並列配置した各横胴縁１４にタイル２０を設置することによって上下方向並列のＡＬＣパネル２間ワーキングジョイント部位３を跨り連続するタイル壁面を形成するようにしてある。
【００２０】
即ちタイル下地１０は，スウェイ構法によって建物の壁面をなす外壁パネル，即ちＡＬＣパネル２の全面に亘るようにこれを設置して連続するタイル下地１０を設置して，同様に上記ワーキングジョイント部位３を含めたタイル壁面を形成するものとしてあり，該タイル下地１０の設置は，その本例にあって３本の各縦胴縁１１を各ＡＬＣパネル２の幅方向中間，本例にあっては幅方向中央に位置してそれぞれ上下のＡＬＣパネル２間に亘るように跨り配置するとともに，本例にあっては更に上記図５及び図６におけると同様に各縦胴縁１１をＡＬＣパネル２間を幅方向に跨り配置して，同じく固定金具によって隣接する各ＡＬＣパネル２に固定してある。このとき該縦胴縁１１の上下のＡＬＣパネル２への固定は，それぞれ単一箇所で行うことによって，後述のように縦胴縁１１が上下のＡＬＣパネル２に対して追従した変位を許容することが必要である。
【００２１】
このようにＡＬＣパネル２にそれぞれ縦胴縁１１を固定したタイル下地１０は，その各横胴縁１４がＡＬＣパネル２間を上下方向，本例にあっては更に幅方向に跨り配置した状態となるから，その上下方向に並列配置した横胴縁１４が上下のＡＬＣパネル２間のワーキングジョイント部位３又はその近傍に位置し，同時にノンワーキングジョイント部位４に位置することになり，従ってノンワーキングジョイント部位４はもとより該ワーキングジョイント部位３を顧慮することなく，これらに跨り配置するようにタイル２０を設置して該ワーキングジョイント部位３を跨り連続するタイル壁面を形成するようにすればよく，ワーキングジョイント部位３を顧慮する必要がないから，図５及び図６と同様にタイル２０は，通し目地配置のもの，馬踏み目地配置のもの等各種の配置形態を適宜に選択してこれを設置することが可能である。
【００２２】
本例のスウェイ構法によって鉄骨躯体１に取付けたＡＬＣパネル２は，鉄骨躯体１に対して各ＡＬＣパネル２が面内方向スライド自在であるから，鉄骨躯体１の横揺れによって，該鉄骨躯体１の層間変位に対してＡＬＣパネル２間で幅方向にスライドすることによって該層間変位に追従するところ，図５及び図６におけると同様に，壁面のＡＬＣパネル２の全面に上下方向及び幅方向に連続して配置した多数のタイル下地１０は，ノンワーキングジョイント部位４においては変位しないが，跨り配置したワーキングジョイント部位３においてＡＬＣパネル２に固定した縦胴縁１１が上下のＡＬＣパネル２に応じて変位する一方で，横胴縁１４がその各支持部位で縦胴縁１１に対して回動可能であることから，各横胴縁１４は縦胴縁１１に支持された状態で該縦胴縁１１の変位を該回動によって吸収することができ，ＡＬＣパネル２及び縦胴縁１１に生じる層間変位の影響を受けることなく常時水平の支持状態を維持することができ，従ってスウェイ構法にあっても，同じく該タイル下地１０に形成したタイル壁面は，鉄骨躯体１の層間変位に対する追従性を確保したＡＬＣパネル２に対して，更に該ＡＬＣパネル２の層間変位を許容して該層間変位に対する独立した追従性を確保したものとなり，鉄骨躯体１及びＡＬＣパネル２が地震の横揺れを受けても，該タイル下地１０によって形成したタイル壁面は良好な免震性を呈するものとすることができる。その余は上記図５及び図６と同様であるから，その重複する説明を省略する。
【００２３】
図示した例は以上のとおりとしたが，タイル下地を縦胴縁に横胴縁を軸支することによって縦胴縁に該横胴縁を回動自在とすること，縦胴縁を幅方向一対としてこれに横胴縁を支持又は軸支して横格子状のタイル下地とすること，外壁パネルを押出成形セメントパネル，ＰＣパネル等によるものとすること，タイル下地の縦胴縁を，例えば一枚置きの外壁パネルに固定する如くに，所定数置きの外壁パネルに固定してその跨り固定を行うようにすること等を含めて，本発明の実施に当って，タイル下地，その縦胴縁，横胴縁，外壁パネル，その躯体取付構法，タイル，タイル壁面等の各具体的形状，構造，材質，これらの関係，これらに対する付加等は，上記発明の要旨に反しない限り様々な形態のものとすることができる。
【図面の簡単な説明】
【００２４】
【図１】タイル下地の正面図である。
【図２】タイル下地の断面図である。
【図３】タイル下地の縦胴縁と横胴縁の関係を示す斜視図である。
【図４】タイルを設置したタイル下地の縦断面図である。
【図５】ＡＬＣパネルにタイル下地を部分設置した状態を示す正面図である。
【図６】図５の各タイル下地の横胴縁回動状態を示す正面図である。
【図７】他の例のＡＬＣパネルにタイル下地を部分設置した状態を示す正面図である。
【図８】図７のワーキングジョイントに跨ぎ配置したタイル下地の横胴縁回動状態を示す正面図である。
【符号の説明】
【００２５】
１  骨躯体
２  ＡＬＣパネル
３  ワーキングジョイント部位
４  ノンワーキングジョイント部位
１０  タイル下地
１１  縦胴縁
１２  ブラケット
１３  屈曲片
１４  横胴縁
１５  引掛透孔
１６  引掛片
１７  上向き突条
１８  受座
２０  タイル
２１  受条
２２  目地
【図１】
2007247178.tif 000003
【図２】
2007247178.tif 000004
【図３】
2007247178.tif 000005
【図４】
2007247178.tif 000006
【図５】
2007247178.tif 000007
【図６】
2007247178.tif 000008
【図７】
2007247178.tif 000009
【図８】
2007247178.tif 000010